(57)【特許請求の範囲】
【請求項１】
心臓弁における石灰沈着を破砕するための装置であって、
インパクタ組立体（１０）とともに使用するためのスタビライザ組立体（２０）であり、前記インパクタ組立体（１０）と前記スタビライザ組立体（２０）との間の十分なエネルギーをもった相対的な運動が、前記スタビライザ組立体（２０）と前記インパクタ組立体（１０）との間に挟まれた組織に位置する石灰沈着を破砕する、スタビライザ組立体（２０）と、
前記スタビライザ組立体（２０）が初期状態において格納されている被覆（１５）とを含み、
前記スタビライザ組立体（２０）が、スタビライザループ（３０）によって連結された複数の遠位スタビライザ支柱（２８）と、シャフト（２２）であって、複数のアーム（２４）が延在し、前記複数のアーム（２４）が遠位部分に前記スタビライザ支柱（２８）を含む、シャフト（２２）とを含み、前記被覆（１５）からの展開の開始時に前記アーム（２４）が前記被覆（１５）から遠位方向に突き出るが、前記スタビライザループ（３０）は前記被覆（１５）上を近位後方に延在する、装置。
【請求項２】
前記複数のアーム（２４）の遠位部分が架橋部分（２６）を含み、前記架橋部分（２６）から離れるように前記スタビライザ支柱（２８）が延在する、請求項１に記載の装置。
【請求項３】
前記架橋部分（２６）が、前記スタビライザ支柱（２８）よりも幅広である、請求項２に記載の装置。
【請求項４】
前記スタビライザ支柱（２８）が湾曲している、請求項１に記載の装置。
【発明の詳細な説明】
【技術分野】
【０００１】
本発明は一般に、大動脈弁尖などの心臓弁における石灰沈着を破砕するための装置および方法に関する。
【背景技術】
【０００２】
ＰＣＴ特許出願ＰＣＴ／ＵＳ２０１２／０６７８１２は、大動脈弁尖における石灰沈着を破砕して弁尖の柔軟性および可動性を高めるために、独立した治療、橋渡し的な治療、または経カテーテル弁移植のための「着地帯」の準備手段として使用されうる、装置および方法を記載している。さらに、上記記載された装置および方法は、ひどく石灰沈着した、または非対称に石灰沈着した自然弁への弁の移植を可能にして、移植された弁の断面積を増大させ、かつ弁周囲逆流のリスクを軽減するために、経カテーテル大動脈弁移植のための準備ステップとして適用されうる。装置および方法はまた、石灰沈着プラークに血管形成術を行うために、または腎臓結石もしくは膀胱結石などの硬い沈着物を破砕するために、僧帽弁などの他の弁における石灰沈着を破砕するために使用されてもよい。
【発明の概要】
【発明が解決しようとする課題】
【０００３】
本発明は、以下でさらに説明されるように、大動脈弁尖における石灰沈着を破砕するためのさらなる装置を提供することを目的とする。
【課題を解決するための手段】
【０００４】
「破砕する（fracture）」という用語は、破砕（fracturing）、微粉砕（pulverizing）、破壊（breaking）、研削（grinding）、切り刻み（chopping）、等のような、しかしそれらには限定されない、あらゆる種類のサイズの縮小、または形状もしくは形態のあらゆる変形を意味する。
【０００５】
本発明の一実施形態によれば、インパクタ組立体とともに使用するためのスタビライザ組立体を含む、心臓弁における石灰沈着を破砕するための装置が提供され、インパクタ組立体とスタビライザ組立体との間の十分なエネルギーをもった相対的な運動が、スタビライザ組立体とインパクタ組立体との間に挟まれた組織に位置する石灰沈着を破砕し、スタビライザ組立体は、近位後方に延在するスタビライザループによって連結された複数の遠位スタビライザ支柱を含む。
【０００６】
本発明の一実施形態によれば、スタビライザ組立体はシャフトを含み、シャフトから複数のアームが延在し、アームが遠位部分にスタビライザ支柱を含む。
【０００７】
本発明の一実施形態によれば、アームの遠位部分が架橋部分を含み、架橋部分の遠位からスタビライザ支柱が延在する。
【０００８】
本発明の一実施形態によれば、架橋部分は、スタビライザ支柱よりも幅広である。
【０００９】
本発明の一実施形態によれば、スタビライザ支柱は湾曲している。
【００１０】
本発明の一実施形態によれば、スタビライザ組立体が初期状態において格納されている被覆が提供される。
【００１１】
本発明の一実施形態によれば、心臓弁における石灰沈着を破砕するための方法も提供され、この方法は、インパクタ組立体とスタビライザ組立体との間に十分なエネルギーをもった相対的な運動を生じさせてスタビライザ組立体とインパクタ組立体との間に挟まれた組織に位置する石灰沈着を破砕するステップを含み、スタビライザ組立体は、近位後方に延在するスタビライザループによって連結された複数の遠位スタビライザ支柱を含む。
【００１２】
本発明は、図面とともに参照される以下の詳細な説明から、より十分に理解され、かつ認識されるであろう。
【図面の簡単な説明】
【００１３】
【図１】図１は、ＰＣＴ特許出願ＰＣＴ／ＵＳ２０１２／０６７８１２に記載された従来技術の「ステント状の」インパクタの簡略化された図である。
【図２Ａ】図２Ａ〜図２Ｃは、本発明の一実施形態に従って構成され、かつ動作可能である、インパクタ（図１のインパクタのような、しかしそれには限定されない）とともに使用するためのスタビライザの簡略化された図であり、図２Ａは、被覆からの展開の開始時におけるスタビライザのループを示す図である。
【図２Ｂ】図２Ｂは、スタビライザが部分的に開いたさらなる展開を示す図である。
【図２Ｃ】図２Ｃは、スタビライザの完全な展開を示す図である。
【発明を実施するための形態】
【００１４】
次に、ＰＣＴ特許出願ＰＣＴ／ＵＳ２０１２／０６７８１２で記載されている従来技術のインパクタ組立体１０を示す図１を参照する。インパクタ組立体１０は、１または複数のインパクション支柱１２を含む。インパクション支柱１２は、近位構造支柱１４と遠位構造支柱１６との間に延在する。「ステント状の」インパクタは、好ましくは、しかし必須ではないが、インパクション支柱１２を用いて、心室側から弁尖に接触する。インパクション支柱１２は、弁尖の接続部に沿って大動脈壁まで延び、石灰沈着物がなければ弁尖の高度な可動性を可能にするのに十分なほどに柔軟であるはずの領域に占有領域を生成する。遠位構造支柱１６の位置は約１２０°離れて示されているが、これは限定的なものではない。「ステント状の」インパクタの占有領域沿い、またはその近傍での破砕は、心収縮期中の大動脈弁断面積の大幅な増大をもたらす。「ステント状の」インパクタは、弁上の様々な回転位置で使用されうるが、好ましくは、しかし必須ではないが、インパクタの「自然な」回転位置である、近位構造支柱１４を接合部の心室側に置いた状態で使用される。あるいは、インパクタは、近位構造支柱が弁尖の中心線と接触するように回転されてもよい。
【００１５】
次に、本発明の一実施形態に係るスタビライザ組立体２０を示す図２Ａ〜図２Ｃを参照する。スタビライザ組立体２０は、外部被覆１５から展開することができる。外部被覆１５は、被覆の軸方向長さに沿って形成された、互い違いの、または位相をずらした刻み目または切り込み（例えば、レーザーカット）のパターンなどにより、可撓性とされうる。
【００１６】
スタビライザ組立体２０は、シャフト２２を含みうる。シャフト２２から、複数の（例えば、１２０°離間された３つの）アーム２４が延在する。アーム２４の遠位部分は、比較的幅広な架橋部分２６を含む。架橋部分２６のそれぞれの遠位からは、湾曲した比較的幅狭なスタビライザ支柱２８の対が延在する。隣接するアーム２４のスタビライザ支柱２８は、シャフト２２に向かって近位後方に延在するスタビライザループ３０によって連結される。
【００１７】
図２Ａ〜２Ｃは、組立体２０の展開の進行を示す。図２Ａは、被覆１５からの展開の開始時におけるループ３０を示す。図２Ｂは、スタビライザが部分的に開いたさらなる展開を示し、図２Ｃは、スタビライザの完全な展開を示す。シャフト２２は、図２Ｃではなおも被覆１５内に示されているが、通常、使用時には完全に取り出される。あるいは、いくつかの特定の状況において、シャフト２２は、使用中に部分的に被覆１５内に留まりうる。
【００１８】
スタビライザ組立体２０は、好ましくは、しかし必須ではないが、架橋部分２６および支柱２８を用いて、大動脈側から弁尖に接触する。支柱２８は、主に弁尖の基部（大動脈壁との連結部）に沿って石灰沈着物を破壊するために、インパクタ（図１のインパクタ１０のような）に対抗動作するように弁尖の基部上に位置決めされてもよい。架橋部分２６は、主に弁尖の中心折れ線に沿って石灰沈着物を破壊するために、弁尖の中心線上に位置決めされてもよい。
【００１９】
スタビライザ組立体２０は、弁上の様々な回転位置に位置決めされうるが、好ましくは、しかし必須ではないが、架橋部分２６を弁尖の中心線に沿わせた状態で、または各支柱２８が一度に２つの弁尖に接触しているように架橋部分２６を接合部上に置いた状態で位置決めされる。
【００２０】
スタビライザループ３０は、スタビライザ支柱２８の先端によって起こり得る損傷から弁および大動脈壁を保護するのに役立つ。上向き（近位側を向く）のループ３０の形状は、スタビライザ支柱２８が弁尖と接触するようにそれらが弁の接合部を越えていくことを可能にし、また、スタビライザ組立体２０の適切な角度配向を実現するのにも役立つ。
（項目１）
心臓弁における石灰沈着を破砕するための装置であって、
インパクタ組立体（１０）とともに使用するためのスタビライザ組立体（２０）であり、前記インパクタ組立体（１０）と前記スタビライザ組立体（２０）との間の十分なエネルギーをもった相対的な運動が、前記スタビライザ組立体（２０）と前記インパクタ組立体（１０）との間に挟まれた組織に位置する石灰沈着を破砕する、スタビライザ組立体（２０）を含み、
前記スタビライザ組立体（２０）が、近位後方に延在するスタビライザループ（３０）によって連結された複数の遠位スタビライザ支柱（２８）を含む、装置。
（項目２）
前記スタビライザ組立体（２０）がシャフト（２２）を含み、前記シャフト（２２）から複数のアーム（２４）が延在し、前記複数のアーム（２４）が遠位部分に前記スタビライザ支柱（２８）を含む、項目１に記載の装置。
（項目３）
前記複数のアーム（２４）の遠位部分が架橋部分（２６）を含み、前記架橋部分（２６）の遠位から前記スタビライザ支柱（２８）が延在する、項目２に記載の装置。
（項目４）
前記架橋部分（２６）が、前記スタビライザ支柱（２８）よりも幅広である、項目３に記載の装置。
（項目５）
前記スタビライザ支柱（２８）が湾曲している、項目１に記載の装置。
（項目６）
前記スタビライザ組立体（２０）が初期状態において格納されている被覆（１５）をさらに含む、項目１に記載の装置。
（項目７）
心臓弁における石灰沈着を破砕するための方法であって、
インパクタ組立体（１０）とスタビライザ組立体（２０）との間に十分なエネルギーをもった相対的な運動を生じさせて、前記スタビライザ組立体（２０）と前記インパクタ組立体（１０）との間に挟まれた組織に位置する石灰沈着を破砕するステップを含み、
前記スタビライザ組立体（２０）が、近位後方に延在するスタビライザループ（３０）によって連結された複数の遠位スタビライザ支柱（２８）を含む、
方法。
【図１】
0006270872.tif 000002
【図２Ａ】
0006270872.tif 000003
【図２Ｂ】
0006270872.tif 000004
【図２Ｃ】
0006270872.tif 000005